(57)【特許請求の範囲】
【請求項１】
同形異音の漢字を含む漢字文字列に対して自国語の発音列を抽出する自国語の発音列抽出部と、
漢字−自国語の発音列の変換との関連を特徴つける統計データを用いて前記漢字文字列に対する統計データを決定する統計データ決定部と、
前記抽出された自国語の発音列と前記決定した統計データとを用いて前記漢字文字列を最適な自国語の発音列に変換する自国語の発音列変換部と、
を含み、
前記統計データ決定部は、前記漢字文字列と関連する前記自国語の発音列の音節に対して音節確率と転移確率を決定し、
前記自国語の発音変換部は、前記漢字文字列に対して変換しようとする自国語の発音列の確率が最大になる自国語の発音列を決定することを特徴とする自国語の発音列変換システム。
【請求項２】
前記自国語の発音列抽出部は、複数の漢字に対する自国語の発音列の組で構成された漢字−自国語の発音列テーブルを用いて自国語の発音列を抽出することを特徴とする請求項１に記載の自国語の発音列変換システム。
【請求項３】
形態が同一であり、かつコードが異なる同形異音の漢字を含む漢字文字列に対し、前記漢字文字列のコードを正規化するコード正規化部をさらに含み、
前記自国語の発音列抽出部は、前記コードが正規化された漢字文字列に対し、自国語の発音列を抽出することを特徴とする請求項１に記載の自国語の発音列変換システム。
【請求項４】
前記コード正規化部は、前記同形異音の漢字を代表漢字に変換して前記漢字文字列のコードを正規化することを特徴とする請求項３に記載の自国語の発音列変換システム。
【請求項５】
前記統計データ決定部は、漢字と自国語が共に表現されたデータから抽出され、漢字−自国語の変換に対して意味のある特徴に対応する統計データを用いて、前記漢字文字列に対する統計データを決定することを特徴とする請求項１に記載の自国語の発音列変換システム。
【請求項６】
前記自国語の発音変換部は、隠れマルコフモデルに基づいて前記漢字文字列を自国語の発音列を変換することを特徴とする請求項１に記載の自国語の発音列変換システム。
【請求項７】
前記自国語の発音変換部は、繰り返して処理される部分に対しては、ビタビアルゴリズムを適用して前記漢字文字列に対して最適な経路を表す自国語の発音列に変換することを特徴とする請求項６に記載の自国語の発音列変換システム。
【請求項８】
コンピュータを用いて、コンピュータに含まれる手段が、
同形異音の漢字を含む漢字文字列に対して自国語の発音列を抽出するステップと、
漢字−自国語の発音列の変換との関連を特徴つける統計データを用いて前記漢字文字列に対する統計データを決定するステップと、
前記抽出された自国語の発音列と前記決定した統計データとを用いて前記漢字文字列を最適な自国語の発音列に変換するステップと、
を実行することを含み、
前記漢字文字列に対する統計データを決定するステップは、前記漢字文字列と関連する前記自国語の発音列の音節に対して音節確率と転移確率を決定し、
前記漢字文字列を最適な自国語の発音列に変換するステップは、前記漢字文字列に対して変換しようとする自国語の発音列の確率が最大になる自国語の発音列を決定することを特徴とする自国語の発音列の変換方法。
【請求項９】
前記自国語の発音列を抽出するステップは、複数の漢字に対する自国語の発音列の組で構成された漢字−自国語の発音列テーブルを用いて自国語の発音列を抽出することを特徴とする請求項８に記載の自国語の発音列の変換方法。
【請求項１０】
コンピュータを用いて、コンピュータに含まれる手段が、
形態が同一であり、かつコードが異なる同形異音の漢字を含む漢字文字列に対して前記漢字文字列のコードを正規化するステップを実行することをさらに含み、
前記漢字文字列に対して自国語の発音列を抽出するステップは、前記コードが正規化された漢字文字列に対して自国語の発音列を抽出することを特徴とする請求項８に記載の自国語の発音列の変換方法。
【請求項１１】
前記漢字文字列のコードを正規化するステップは、前記同形異音の漢字を代表漢字に変換して前記漢字文字列のコードを正規化することを特徴とする請求項１０に記載の自国語の発音列の変換方法。
【請求項１２】
前記漢字文字列に対する統計データを決定するステップは、漢字と自国語が共に表現されたデータから抽出され、漢字−自国語の変換に対して意味のある特徴に対応する統計データを用いて前記漢字文字列に対する統計データを決定することを特徴とする請求項８に記載の自国語の発音列の変換方法。
【請求項１３】
前記漢字文字列を最適な自国語の発音列に変換するステップは、隠れマルコフモデルに基づいて前記漢字文字列を自国語の発音列に変換することを特徴とする請求項８に記載の自国語の発音列の変換方法。
【請求項１４】
前記漢字文字列を最適な自国語の発音列に変換するステップは、繰り返して処理される部分に対しては、ビタビアルゴリズムを適用して前記漢字文字列に対して最適な経路を表す自国語の発音列に変換することを特徴とする請求項１３に記載の自国語の発音列の変換方法。
【請求項１５】
請求項８乃至請求項１４のいずれか一項に記載の方法をコンピュータに実行させるためのプログラムが記録されたコンピュータで読み出し可能な記録媒体。
【発明の詳細な説明】
【技術分野】
【０００１】
本発明は漢字を自国語の発音列に変換するシステムおよび方法に関し、より詳しくは、漢字から自国語への変換に関連する統計データを用いて漢字を自国語の発音列に変換するシステムおよび方法に関する。
【背景技術】
【０００２】
漢字の文化圏であるアジア各国における様々な文書では漢字が用いられる。また、漢字の文化圏でないアメリカなどでも漢字が限定的に用いられる。特に、コンピュータで用いられるプログラムにおいて漢字が含まれたテキスト文書が多く用いられる。ただし、漢字に慣れていないユーザのためにワードプロセスプログラムにおいて漢字を自国語の発音に変換するか、インテリジェントな情報検索で漢字に入力された検索クエリも検索しなければならない場合がある。
【０００３】
0005599662.tif 000002
【０００４】
日本の場合、韓国よりも文書に漢字の出現する頻度がさらに多い。しかし、日本人は漢字の代わりによみがな（ｙｏｍｉｇａｎａ）を入力して漢字を検索する場合が多い。例えば、「おんがく」というクエリを入力して「音楽」を検索していた。
【０００５】
0005599662.tif 000003
【０００６】
アメリカのような英語圏の国の場合、文書に漢字が用いられる場合は多くない。しかし、文書に用いられた漢字を英語に変換してクエリを入力すれば、該当文書を簡単に検索することができる。
【０００７】
従来、漢字を自国語に変換する方法は、予め設定した変換テーブルを用いる方式があった。すなわち、特定の漢字に対応する自国語を予め変換テーブルに格納しておき、ユーザから漢字が入力された場合、対応する自国語を単に提示する方式であった。
【０００８】
0005599662.tif 000004
【０００９】
したがって、少なくとも１つの漢字に対して変換することのできる自国語の発音の数が１つ以上である場合、最終的に変換される自国語の発音も様々であるため、本来の漢字を入力する時の意図とまったく関係のない自国語の発音が導き出される恐れが多かった。したがって、ユーザの本来の意図を反映して文脈および自国語の綴字法に適する自国語の発音列を導き出す必要がある。
【００１０】
また、同形異音の漢字によって文書またはクエリに様々なコード値を有する漢字が存在していて検索できない場合が生じていた。例えば、４つの文書がそれぞれ「楽園」（楽＝０ｘＦ９５Ｃ）、「楽園」（楽＝０ｘＦ９１４）、「楽園」（楽＝０ｘ６Ａ０２）、「楽園」（楽＝０ｘＦ９ＢＦ）のみが書かれていたと仮定する。この場合、ユーザが０ｘＦ９５Ｃに該当する「楽園」を入力して文書を検索すると、４個の文書のうちの１つの文書のみ検索されるという問題がある。したがって、様々なコード値で表現される同形異音の漢字を１つの正規化された漢字に変換して検索の再現率を高める必要がある。
【００１１】
0005599662.tif 000005
【００１２】
このような問題を解決するために、漢字から自国語の発音にさらに正確に変換する方法が求められている。
【発明の概要】
【発明が解決しようとする課題】
【００１３】
本発明は漢字−自国語の発音列の変換との関連を特徴つける統計データを用いて、漢字の文字列に対して自国語の発音列を変換することによって、最終的に導き出される自国語の発音列の精度を向上させるシステムおよび方法を提供する。
【００１４】
本発明は、従来の変換テーブル方式では処理できない同形異音の漢字に対しても統計データを用いることによって文脈および自国語の綴字法に適した自国語の発音列に変換することができるシステムおよび方法を提供する。
【００１５】
本発明は、漢字コードの正規化によって正確ではないコードの漢字が入力された場合であっても、正確な自国語の発音列に変換することができるシステムおよび方法を提供する。
【００１６】
本発明は、統計データを用いてハングルの頭音法則のような例外的な文法も正確に反映することにより漢字文字列を自国語の発音列に変換することの信頼性を向上させるシステムおよび方法を提供する。
【課題を解決するための手段】
【００１７】
本発明の一実施形態に係る自国語の発音変換システムは、漢字の文字列に対して自国語の発音列を抽出する自国語の発音列抽出部と、漢字文字列と自国語の発音列の変換との関連を特徴つける統計データを用いて前記漢字文字列に対する統計データを決定する統計データ決定部と、前記抽出された自国語の発音列と前記決定した統計データとを用いて前記漢字の文字列に対して最適な自国語の発音列に変換する自国語の発音列変換部と、を含んでもよい。
【００１８】
本発明の一実施形態に係る自国語の発音変換システムは、形態が同一でありコードが異なる同形異音の漢字を含む漢字文字列に対し、前記漢字文字列のコードを正規化するコード正規化部をさらに含んでもよい。
【００１９】
本発明の一実施形態に係る自国語の発音変換方法は、漢字文字列に対して自国語の発音列を抽出するステップと、漢字文字列と自国語の発音列の変換との関連を特徴つける統計データを用いて前記漢字文字列に対する統計データを決定するステップと、前記抽出された自国語の発音列と前記決定した統計データとを用いて前記漢字文字列を最適な自国語の発音列に変換するステップと、を含んでもよい。
【００２０】
本発明の一実施形態に係る自国語の発音変換方法は、形態が同一でありコードが異なる同形異音の漢字を含む漢字文字列に対して前記漢字文字列のコードを正規化するステップをさらに含んでもよい。
【発明の効果】
【００２１】
本発明によれば、漢字文字列と自国語の発音列の変換との関連を特徴つける統計データを用いて、漢字文字列に対して自国語の発音列を変換することによって、最終的に導き出される自国語の発音列の精度を向上させることができる。
【００２２】
本発明によれば、従来の変換テーブル方式では処理できない同形異音の漢字であっても、統計データを用いることよって文脈および自国語の綴字法に適した自国語の発音列に変換することができる。
【００２３】
本発明によれば、漢字コードの正規化によって正確ではないコードの漢字が入力された場合にも正確な自国語の発音列に変換することができる。
【００２４】
本発明によれば、統計データを用いてハングルの頭音法則のような例外的な文法も正確に反映することによって、漢字文字列を自国語の発音列に変換することの信頼性を向上させることができる。
【図面の簡単な説明】
【００２５】
【図１】本発明の一実施形態に係る自国語の発音列変換システムによって漢字文字列に対して自国語の発音列に変換する全過程を示す図である。
【図２】本発明の一実施形態に係る自国語の発音列変換システムの全体構成を示すブロックダイヤグラムである。
【図３】本発明の一実施形態に係る漢字文字列に対して正規化する過程を説明するための図である。
【図４】本発明の一実施形態に係る漢字−自国語の発音列テーブルの一例を示す図である。
【図５】本発明の一実施形態に係る漢字文字列に対して自国語の発音列に変換する過程を示す図である。
【図６】本発明の一実施形態に係る自国語の発音列の変換方法の全過程を示すフローチャートである。
【発明を実施するための形態】
【００２６】
以下、添付された図面に記載した内容を参照して本発明に係る実施形態を詳細に説明する。ただし、本発明が実施形態によって制限され、限定されることはない。各図面に提示された同一の参照符号は同一の部材を示す。自国語の発音列の変換方法は、自国語の発音列変換システムによって行われてもよい。
【００２７】
図１は、本発明の一実施形態に係る自国語の発音列変換システムによって漢字の文字列に対して自国語の発音列に変換する全過程を示す図である。
【００２８】
ユーザ１０１−１〜１０１−ｎが少なくとも１つの漢字を含む漢字文字列を入力すれば、自国語の発音列変換システム１００は、漢字文字列を自国語の発音列１０２−１〜１０２−ｎに変換する。自国語は、自国語の発音列変換システム１００が提供する文書に記載された言語に基づいて異なるように決定されてもよい。例えば、自国語の発音列変換システム１００がハングル文書を提供する場合、自国語をハングルに決定してもよい。
【００２９】
この場合、漢字文字列は、少なくとも１つの漢字を含んでもよい。コンピュータを用いるプログラム（ＰＣ用プログラム、サーバ用プログラム、ウェブ用プログラムなど）に漢字が含まれたテキスト文書に対し、自国語の発音に変換しなければならない場合が度々発生する。
【００３０】
0005599662.tif 000006
【００３１】
0005599662.tif 000007
【００３２】
本発明の一実施形態に係る自国語の発音列変換システム１００は、与えられた漢字文字列に対して自国語の発音列に変換されるデータを統計的に分析したデータを用いることによって、さらに正確な自国語の発音列を提供することができる。また、自国語の発音列変換システム１００は、文脈および自国語の綴字法に適する自国語の発音列を提供することによって、自国語の発音列に変換された結果に対して信頼性を保障することができる。
【００３３】
図２は、本発明の一実施形態に係る自国語の発音列変換システムの全体構成を示すブロックダイヤグラムである。
【００３４】
図２に示すように、自国語の発音列変換システム１００は、コード正規化部２０１、自国語の発音列抽出部２０２、統計データ決定部２０３、および自国語の発音列変換部２０４を含んでよい。
【００３５】
コード正規化部２０１は、形態が同一であり、コードが異なる同形異音の漢字を含む漢字文字列２０５に対して漢字文字列２０５のコードを正規化する。一例として、コード正規化部２０１は、同形異音の漢字を代表漢字に変換して漢字文字列２０５のコードを正規化してもよい。この場合、コード正規化部２０１は、漢字正規化データ２０７を用いて漢字文字列２０５のコードを正規化してもよい。
【００３６】
その結果、コード正規化部２０１によって正規化された漢字文字列２１０を導き出することができる。ただし、漢字文字列２０５が同形異音の漢字を含まない場合、コード正規化部２０１は動作しない。コード正規化部２０１の具体的な動作は図３を参照して詳しく説明する。
【００３７】
自国語の発音列抽出部２０２は、漢字−自国語の発音列テーブル２０８を用いて漢字文字列に対して自国語の発音列を抽出する。この場合、漢字−自国語の発音列テーブル２０８は、複数の漢字に対する自国語の発音列の組みを含んでもよい。すなわち、漢字−自国語の発音列テーブル２０８によれば、漢字ごとに自国語の発音列が対応付けられてもよい。
【００３８】
ただし、同一の漢字に対して自国語の発音列が１つ以上である場合がある。この場合、自国語の発音列は、文脈および自国語の綴字法にしたがって変換されなければならない。これに対して、本発明の一実施形態に係る自国語の発音列変換システム１００は、漢字から自国語に変換された統計データを用いることによって変換される自国語の発音列の精度を向上させることができる。
【００３９】
統計データ決定部２０３は、漢字−自国語の発音列の変換との関連を特徴つける統計データを用いて漢字文字列に対する統計データを決定する。
【００４０】
一例として、統計データ決定部２０３は、漢字と自国語が共に表現されたデータから抽出され、漢字−自国語の変換に対して意味のある特徴に対応する統計データ２０９を用いて漢字文字列２０５に対する統計データを決定してもよい。この場合、統計データ決定部２０３は、漢字文字列２０５と関連して自国語の発音列２０６の音節に対して音節確率と転移確率を決定してもよい。
【００４１】
すなわち、本発明の一実施形態によれば、漢字に対して自国語に変換される様々な統計データを用いることによって、それぞれの状況に応じて同一の漢字であっても異なるように発音される自国語を正確に決定することができる。統計データを用いる過程は、図５を参照してさらに具体的に説明する。
【００４２】
自国語の発音列変換部２０４は、抽出された自国語の発音列と決定された統計データを用いて漢字文字列２０５を最適な自国語の発音列２０６に変換する。一例として、自国語の発音列変換部２０４は、漢字文字列２０５に対して変換しようとする自国語の発音列の確率が最大になる自国語の発音列２０６を決定してもよい。
【００４３】
この場合、自国語の発音列変換部２０４は、隠れマルコフモデル（ｈｉｄｄｅｎ  ｍａｒｋｏｖ  ｍｏｄｅｌ）に基づいて漢字文字列２０５を自国語の発音列２０６を変換してもよい。特に、自国語の発音列変換部２０４は、繰り返し処理される漢字文字列に対してはビタビ（ｖｉｔｅｒｂｉ）アルゴリズムを適用して、漢字文字列２０５に対して最適経路を示す自国語の発音列２０４に変換してもよい。
【００４４】
図３は、本発明の一実施形態に係る漢字文字列を正規化する過程を説明するための図である。
【００４５】
漢字文字列が自国語の発音列に変換されなくても同形異音の漢字によって文書またはクエリに様々なコード値を有する単語が存在して検索が実行できない場合がある。これに対して、自国語の発音列変換システム１００は、形態が同一でありコードが異なる同形異音の漢字を含む漢字文字列に対して漢字文字列のコードを正規化してもよい。
【００４６】
0005599662.tif 000008
【００４７】
0005599662.tif 000009
【００４８】
0005599662.tif 000010
【００４９】
本発明の一実施形態に係る自国語の発音列変換システムは、漢字文字列の正規化過程によって統計モデルにおけるデータの稀少性の問題を解決することができる。また、自国語の発音列変換システムは、文脈および自国語の綴字法に適さないコードで用いられた漢字に対しても自国語の変換ができる。
【００５０】
図４は、本発明の一実施形態に係る漢字−自国語の発音列テーブルの一例を示す図である。特に、図４は、漢字−ハングルの発音列テーブルの一例を示す。図４の説明は他の自国語にも類推して適用してもよい。
【００５１】
0005599662.tif 000011
【００５２】
0005599662.tif 000012
【００５３】
0005599662.tif 000013
【００５４】
図５は、本発明の一実施形態に係る漢字文字列に対して自国語の発音列に変換する過程を示す図である。
【００５５】
0005599662.tif 000014
【００５６】
自国語の発音列変換システムは、漢字−自国語の発音列の変換との関連を特徴つける統計データを用いて漢字文字列に対する統計データを決定してもよい。一例として、自国語の発音列変換システムは、漢字と自国語が共に表現されるデータから抽出され、漢字−自国語の変換に対して意味のある特徴に対応する統計データを用いて漢字文字列に対する統計データを決定してもよい。
【００５７】
本発明の一実施形態によれば、漢字−ハングルの変換に対して意味のある特徴は、以下の通りである。特徴は、各国の文法および綴字法に応じて変更されてもよい。
【００５８】
0005599662.tif 000015
【００５９】
0005599662.tif 000016
【００６０】
0005599662.tif 000017
【００６１】
0005599662.tif 000018
【００６２】
0005599662.tif 000019
【００６３】
0005599662.tif 000020
【００６４】
0005599662.tif 000021
【００６５】
0005599662.tif 000022
【００６６】
前述のような特徴に対する確率は、自国語と漢字が共に表現されたブログ、文書、ウェプページなどのデータによって統計的に決定されてもよい。特に、ハングルの発音には様々な頭音法則が存在し、それに対する例外も多く存在する。このため、漢字とハングルが共に表現されたデータから抽出し、漢字−ハングルの変換に対して意味のある特徴に対応する統計データを用いて変換されるハングルの発音列の精度を向上させることができる。また、韓国の頭音法則と共に韓国以外の他の国でも固有の綴字法が存在することから、このような固有の綴字法を反映した特徴を用いて各国の状況に適する統計データが導き出されてもよい。
【００６７】
一例として、ハングルの発音に対する頭音法則とその例外は次のとおりであり、このような事項も本発明の一実施形態に係る統計データに適用される特徴として用いられてもよい。
【００６８】
0005599662.tif 000023
【００６９】
0005599662.tif 000024
【００７０】
0005599662.tif 000025
【００７１】
0005599662.tif 000026
【００７２】
0005599662.tif 000027
【００７３】
0005599662.tif 000028
【００７４】
0005599662.tif 000029
【００７５】
0005599662.tif 000030
【００７６】
そして、自国語の発音列変換システムは、抽出された自国語の発音列と決定された統計データとを用いて、漢字文字列を最適な自国語の発音列に変換してもよい。一例として、自国語の発音列変換システムは、統計データである音節確率と転移確率とを用いて、漢字文字列を変換しようとする自国語の発音列の確率が最大になる自国語の発音列を決定してもよい。このとき、自国語の発音列変換システムは、隠れマルコフモデルに基づいて漢字文字列を自国語の発音列に変換してもよい。
【００７７】
0005599662.tif 000031
【００７８】
0005599662.tif 000032
【００７９】
一例として、自国語の発音列変換システムは、下記の数式（１）及び（２）による隠れマルコフモデルを用いて漢字文字列を自国語の発音列を変換してもよい。
【００８０】
【数１】
0005599662.tif 000033
【数２】
0005599662.tif 000034
【００８１】
このとき、Ｃは漢字文字列、Ｋは自国語の発音列を意味する。また、下記数式（３）は音節の確率であり、数式（４）は遷移確率を示す。
【数３】
0005599662.tif 000035
【数４】
0005599662.tif 000036
【００８２】
すると、漢字文字列が最終的に変換される自国語の発音列は下記の数式（５）によって決定してもよい。
【００８３】
【数５】
0005599662.tif 000037
【００８４】
すなわち、自国語の発音列変換システムは、与えられた漢字文字列に対して音節確率と遷移確率を組み合わせた結果が最大になる自国語の発音列を決定してもよい。このとき、自国語の発音列変換システムは、繰り返し処理される部分に対してはビタビアルゴリズムを適用して漢字文字列を最適な経路を示す自国語の発音列を変換してもよい。
【００８５】
0005599662.tif 000038
【００８６】
図６は、本発明の一実施形態に係る自国語の発音列の変換方法の全過程を示すフローチャートである。
【００８７】
自国語の発音列変換システムは、漢字文字列のコードを正規化してもよい（Ｓ６０１）。一例として、自国語の発音列変換システムは、形態が同一であるがコードが異なる同形異音の漢字を含む漢字文字列に対して漢字文字列のコードを正規化してもよい。この場合、自国語の発音列変換システムは、正規化データを用いて同形異音の漢字を代表漢字に変換することにより、漢字文字列のコードを正規化してもよい。ここで、正規化データは、漢字辞書によって自動に構築されてもよい。
【００８８】
自国語の発音列変換システムは、漢字文字列に対して自国語の発音列を抽出してもよい（Ｓ６０２）。一例として、自国語の発音列変換システムは、複数の漢字に対する自国語の発音列の組で構成される漢字−自国語の発音列テーブルを用いて、漢字文字列に対して自国語の発音列を抽出してもよい。このとき、漢字文字列が正規化する過程を経た場合、自国語の発音列変換システムは、正規化された漢字文字列に対して自国語の発音列を抽出してもよい。
【００８９】
自国語の発音列変換システムは、漢字−自国語の発音列の変換との関連を特徴つける統計データを用いて漢字文字列に対する統計データを決定してもよい（Ｓ６０３）。
【００９０】
一例として、自国語の発音列変換システムは、漢字と自国語が共に表現されたデータから抽出され、漢字−自国語の変換に対して意味のある特徴に対応する統計データを用いて漢字文字列に対する統計データを決定してもよい。このとき、自国語の発音列変換システムは、漢字文字列と関連する統計データを用いて自国語の発音列の音節に対して音節確率と転移確率を決定してもよい。
【００９１】
自国語の発音列変換システムは、抽出された自国語の発音列と決定された統計データとを用いて漢字文字列を最適な自国語の発音列に変換してもよい（Ｓ６０４）。一例として、自国語の発音列変換システムは、漢字文字列に対して変換しようとする自国語の発音列の確率が最大になる自国語の発音列を決定してもよい。
【００９２】
このとき、自国語の発音列変換システムは、隠れマルコフモデルに基づいて漢字文字列を自国語の発音列に変換してもよい。特に、自国語の発音列変換システムは、繰り返して処理される部分に対しては、ビタビアルゴリズムを適用して漢字文字列を最適な経路を示す自国語の発音列に変換してもよい。
【００９３】
図６において説明されない事項は、図１〜図５の説明を参照して理解してもよい。
【００９４】
また、本発明の一実施形態に係る漢字に対するハングルの発音列の変換方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。プログラム命令の例としては、コンパイラによって生成されるような機械語コードだけでなく、インタプリタなどを用いてコンピュータによって実行され得る高級言語コードを含む。
【００９５】
上述したように、本発明の好ましい実施形態を参照して説明したが、特許請求の範囲に記載された本発明の思想および領域から逸脱しない範囲内で、本発明を多様に修正および変更できることは当業者にとって明らかである。すなわち、本発明の技術的範囲は、特許請求の範囲に基づいて定められ、発明を実施するための最良の形態により制限されるものではない。
【符号の説明】
【００９６】
１００：自国語の発音列変換システム
１０１−１〜１０１−ｎ：ユーザ
１０２−１〜１０２−ｎ：自国語の発音列
１０３：変換の一例
２０１：コード正規化部
２０２：自国語の発音列抽出部
２０３：統計データ決定部
２０４：自国語の発音列変換部
２０８：漢字−自国語の発音列テーブル
【図１】
0005599662.tif 000039
【図２】
0005599662.tif 000040
【図３】
0005599662.tif 000041
【図４】
0005599662.tif 000042
【図５】
0005599662.tif 000043
【図６】
0005599662.tif 000044